(57)【要約】【課題】本発明は、ブラック画面でコントラストをよくするプラズマ表示装置及びその駆動方法を提供する。【解決手段】本発明はプラズマ表示装置及びその駆動方法に関する。入力される映像信号から全体放電セルの階調値を検出して、検出された階調値が設定された基準階調値未満の場合、全サブフィールドのリセット期間で補助リセット波形が印加される。基準階調値は、複数の放電セルが最小加重値を有するサブフィールドだけで点灯されるセルとして選択される映像信号の階調値で設定される。特に、基準階調値は、フルブラック映像信号の階調値と同じ「０」に設定できる。本発明は、フルブラックのような低階調画面で補助リセット波形を印加することによって、リセット期間の放電による発光が弱かったり、または全く発生しないため、コントラストが良くなる。【選択図】図２
2009042722.tif 000002
【特許請求の範囲】
【請求項１】
複数の第１電極及び第２電極を含み、前記複数の第１及び第２電極によって、複数の放電セルが形成されるプラズマ表示装置での一つのフレームを各々の加重値を有する複数のサブフィールドに分けて駆動する方法において、
入力される映像信号から全体放電セルの階調値を検出するステップと、
前記検出された階調値と設定された基準階調値を比較するステップと、
前記検出された階調値が前記基準階調値未満の場合、前記複数のサブフィールドの全リセット期間中に直前のサブフィールドで画像を表示した放電セルを初期化する補助リセット波形を印加するステップと
を含むことを特徴とするプラズマ表示装置の駆動方法。
【請求項２】
前記検出された階調値が前記基準階調値以上の場合、前記複数のサブフィールドのうちの少なくとも一つ以上のリセット期間中に全放電セルを初期化するメインリセット波形を印加する段階をさらに含むことを特徴とする請求項１に記載のプラズマ表示装置の駆動方法。
【請求項３】
前記基準階調値は、前記複数の放電セルが最小加重値を有するサブフィールドだけで点灯されるセルとして選択される映像信号の階調値であることを特徴とする請求項１に記載のプラズマ表示装置の駆動方法。
【請求項４】
前記基準階調値は、フルブラック映像信号の階調値と同じ「０」であることを特徴とする請求項１に記載のプラズマ表示装置の駆動方法。
【請求項５】
前記補助リセット波形は、
前記複数の第１電極に第１電圧が印加された状態で、前記複数の第２電極の電圧が第１電圧より高い第２電圧から第３電圧に漸進的に減少させる波形であることを特徴とする請求項１に記載のプラズマ表示装置の駆動方法。
【請求項６】
前記メインリセット波形は、
前記複数の第１電極に第１電圧が印加された状態で、前記複数の第２電極の電圧が第２電圧から第３電圧に漸進的に増加された後、前記複数の第１電極に第１電圧より高い第４電圧が印加された状態で、前記複数の第２電極の電圧が前記第３電圧より低い第５電圧から第６電圧に漸進的に減少される波形であることを特徴とする請求項２に記載のプラズマ表示装置の駆動方法。
【請求項７】
複数の第１電極及び第２電極を含み、前記複数の第１及び第２電極によって複数の放電セルが形成されるプラズマ表示装置での一つのフレームを各々の加重値を有する複数のサブフィールドに分けて駆動する方法において、
入力される映像信号から全体放電セルの階調値を検出するステップと、
前記検出された階調値がフル-ブラック映像信号の階調値と同じ「０」の場合、前記一つのフレームの間に前記複数の第１及び第２電極に基準電圧を維持するステップと
を含むことを特徴とするプラズマ表示装置の駆動方法。
【請求項８】
前記基準電圧が０Ｖ電圧であることを特徴とする請求項７に記載のプラズマ表示装置の駆動方法。
【請求項９】
一つのフレームが複数のサブフィールドに分けて駆動されるプラズマ表示装置において、
複数の第１及び第２電極を含み、前記複数の第１及び第２電極によって複数の放電セルが形成されるプラズマ表示パネルと、
前記複数のサブフィールドで前記複数の放電セルに前記複数の放電セルを初期化するメインリセット波形、または前記複数の放電セルの中で直前サブフィールドで画像を表示した放電セルを初期化する補助リセット波形を印加する駆動部と、
入力される映像信号から全体放電セルの階調値を検出して、検出された階調値が設定された基準階調値未満の場合、前記複数のサブフィールドの全サブフィールドのリセット期間で前記補助リセット波形が印加されるように制御する制御部と
を含むことを特徴とするプラズマ表示装置。
【請求項１０】
前記制御部は、
前記検出された階調値が前記基準階調値以上の場合、前記複数のサブフィールドのうちの少なくとも一つ以上のサブフィールドで前記メインリセット波形が印加されるように制御することを特徴とする請求項９に記載のプラズマ表示装置。
【請求項１１】
前記基準階調値は、前記複数の放電セルが最小加重値を有するサブフィールドだけで点灯されるセルとして選択される映像信号の階調値であることを特徴とする請求項９に記載のプラズマ表示装置。
【請求項１２】
前記基準階調値は、フルブラック映像信号の階調値と同じ「０」であることを特徴とする請求項９に記載のプラズマ表示装置。
【請求項１３】
前記メインリセット波形は、
前記複数の第１電極に第１電圧が印加された状態で、前記複数の第２電極の電圧が第２電圧から第３電圧に漸進的に増加された後、前記複数の第１電極に第１電圧より高い第４電圧が印加された状態で、前記複数の第２電極の電圧が前記第３電圧より低い第５電圧から第６電圧に漸進的に減少される波形であることを特徴とする請求項９に記載のプラズマ表示装置。
【請求項１４】
前記補助リセット波形は、
前記複数の第１電極に第１電圧が印加された状態で、前記複数の第２電極の電圧が第２電圧から第３電圧に漸進的に減少される波形であることを特徴とする請求項９に記載のプラズマ表示装置。
【発明の詳細な説明】
【技術分野】
【０００１】
本発明はプラズマ表示装置及びその駆動方法に関する。
【背景技術】
【０００２】
プラズマ表示装置は、気体放電によって生成されたプラズマを利用して文字または映像を表示する平面表示装置であり、その大きさによって数十から数百万個以上のピクセル（pixel）がマトリックス（matrix）状に配列されている。
【０００３】
プラズマ表示装置では、一つのフレーム（１ＴＶフィールド）が各々の加重値を有する複数のサブフィールドに分割されて駆動され、各サブフィールドを時間的な動作変化に表現すると、リセット期間、アドレス期間及び維持期間で構成される。
【０００４】
リセット期間は、セルにアドレシング動作を円滑に行うために各セルの状態を初期化する期間であり、アドレス期間は、パネルで点灯されるセルと点灯されないセルを選択する期間である。維持期間は、維持放電パルスを印加して、アドレシングされたセルに実際に画像を表示するための放電を遂行する期間である。
【０００５】
従来のプラズマ表示装置は、複数のサブフィールド中の一番目のサブフィールド（ＳＦ１）だけでメインリセットを行い、他のサブフィールド（ＳＦ２〜ＳＦｎ）では補助リセットを行う。この時、メインリセットは全放電セルに対して初期化を遂行するリセットであり、補助リセットは、直前サブフィールドで維持放電が発生したセルに対して初期化を遂行するリセット期間である。メインリセット期間の上昇期間と下降期間には弱放電が発生して、弱い光が発光される。フルブラック（full black）画面でメインリセットが駆動される場合、弱放電による弱い光が発生して、コントラストが良くない。
【発明の開示】
【発明が解決しようとする課題】
【０００６】
本発明が目的とする技術的課題は、ブラック画面でコントラストをよくするプラズマ表示装置及びその駆動方法を提供することである。
【課題を解決するための手段】
【０００７】
本発明の第１特徴によると、複数の第１電極及び第２電極を含み、前記複数の第１及び第２電極によって複数の放電セルが形成されるプラズマ表示装置において、一つのフレームを各々の加重値を有する複数のサブフィールドに分けて駆動する方法が提供される。この駆動方法は、入力される映像信号から全体放電セルの階調値を検出する段階と、前記検出された階調値と設定された基準階調値を比較する段階と、前記検出された階調値が前記基準階調値未満の場合、前記複数のサブフィールドの全リセット期間で、直前サブフィールドで画像を表示した放電セルを初期化する補助リセット波形を印加する段階を含む。
【０００８】
本発明の第２特徴によると、複数の第１電極及び第２電極を含み、前記複数の第１及び第２電極によって複数の放電セルが形成されるプラズマ表示装置において、一つのフレームを各々の加重値を有する複数のサブフィールドに分けて駆動する方法が提供される。この駆動方法は、入力される映像信号から全体放電セルの階調値を検出する段階と、前記検出された階調値がフルブラック映像信号の階調値と同じ「０」の場合、前記一つフレームの間に前記複数の第１及び第２電極に基準電圧を維持する段階とを含む。
【０００９】
本発明の第３特徴によると、一つのフレームが複数のサブフィールドに分けて駆動されるプラズマ表示装置が提供される。プラズマ表示装置は、複数の第１及び第２電極を含み、前記複数の第１及び第２電極によって複数の放電セルが形成されるプラズマ表示パネルと、前記複数のサブフィールドで前記複数の放電セルに前記複数の放電セルを初期化するメインリセット波形、または前記複数の放電セルの中、直前サブフィールドで画像を表示した放電セルを初期化する補助リセット波形を印加する駆動部と、入力される映像信号から全体放電セルの階調値を検出し、検出された階調値が設定された基準階調値未満の場合、前記複数のサブフィールドの全サブフィールドのリセット期間で前記補助リセット波形が印加されるように制御する制御部を含む。
【発明の効果】
【００１０】
本発明によると、入力される映像の階調値が設定された基準階調値未満の場合、一つのフレームの全リセット期間で補助リセットが駆動されて、フルブラックのような低階調画面において、リセット放電による発光が弱かったり、または全く発生しないため、コントラストが良くなる。
【発明を実施するための最良の形態】
【００１１】
以下、添付図を参照して、本発明の実施形態について本発明が属する技術分野で通常の知識を有する者が容易に実施できるように詳しく説明する。しかし、本発明は多様な形態に実現され、ここで説明する実施形態に限られない。そして、図面で本発明を明確に説明するため、説明上に不要な部分は省略し、明細書全体にわたって類似する部分については類似する図面符号を付けた。また、明細書の各所で、どの部分がどの構成要素を「含む」とする時、これは特に反対の記載がない限り、他の構成要素を除くのではなく、他の構成要素をさらに含むことを意味する。
【００１２】
また、明細書の各所で言及する壁電荷は、セルの壁（例えば、誘電体層）上に各電極に近く形成される電荷のことをいう。そして、壁電荷は実際に電極自体に接触することはないが、ここでは電極に「形成される」、「蓄積される」または「積もる」のように説明する。また、壁電圧は壁電荷によりセルの壁に形成される電位差のことをいう。
【００１３】
図１は、本発明の実施形態によるプラズマ表示装置の概略的な平面図である。図１に示したように、本発明の実施形態によるプラズマ表示装置は、プラズマ表示パネル１００と、制御部２００と、アドレス電極駆動部３００と、走査電極駆動部４００及び維持電極駆動部５００を含む。
【００１４】
プラズマ表示パネル１００は、列方向にのびている複数のアドレス電極（Ａ１〜Ａｍ）、そして行方向に互いに組を成しながらのびている複数の維持電極（Ｘ１〜Ｘｎ）、及び走査電極（Ｙ１〜Ｙｎ）を含む。維持電極（Ｘ１〜Ｘｎ）は、各走査電極（Ｙ１〜Ｙｎ）に対応して形成されており、維持電極（Ｘ１〜Ｘｎ）と走査電極（Ｙ１〜Ｙｎ）が維持期間で画像を表示するための表示動作を行う。アドレス電極（Ａ１〜Ａｍ）は、維持電極（Ｘ１〜Ｘｎ）及び走査電極（Ｙ１〜Ｙｎ）と直交配置される。この時、アドレス電極（Ａ１〜Ａｍ）と走査電極（Ｙ１〜Ｙｎ）及び維持電極（Ｘ１〜Ｘｎ）の交差部にある放電空間がセル１２を形成する。このようなプラズマ表示パネル１００の構造は一例であり、下記で説明する駆動方法が適用できる他の構造のパネルも本発明に適用される。
【００１５】
制御部２００は、外部から映像信号を受信して、アドレス電極駆動制御信号、維持電極駆動制御信号及び走査電極駆動制御信号を出力する。そして、制御部２００は、一つのフレームを複数のサブフィールドに分割して駆動する。各サブフィールドは、時間的な動作変化に表現すると、リセット期間、アドレス期間及び維持期間で構成される。リセット期間ではメインリセットと補助リセットが選択的に駆動できる。メインリセットは、全放電セルに対して初期化を遂行するリセット期間であり、補助リセットは、直前のサブフィールドで維持放電が発生したセルに対して初期化を遂行するリセット期間である。
【００１６】
本発明の実施形態による制御部２００は、プラズマ表示パネル１００の階調値を検出する。そして、検出された階調値が設定された基準階調値未満の場合、制御部２００は一つのフレームの各リセット期間で補助リセットが駆動されるように制御する。
【００１７】
アドレス駆動部３００は、制御部２００からアドレス電極駆動制御信号を受信して表示する放電セルを選択するための表示データ信号を各アドレス電極に印加する。
【００１８】
走査電極駆動部４００は、制御部２００から走査電極駆動制御信号を受信して、走査電極に駆動電圧を印加する。
【００１９】
維持電極駆動部５００は、制御部２００から維持電極駆動制御信号を受信して、維持電極に駆動電圧を印加する。
【００２０】
本発明の実施形態によるプラズマ表示装置の制御部の動作について、図２を参照して詳細に説明する。図２は図１に示した制御部の動作を示した図である。
【００２１】
図２に示したように、制御部２００は入力されるＲ、Ｇ、Ｂ映像信号から全体放電セルの階調値を検出する（Ｓ３１０）。そして、検出された階調値と設定された基準階調値を比較する（Ｓ３２０）。この時、検出された階調値が基準階調値未満の場合、制御部２００は一つのフレームの各リセット期間で補助リセットを駆動される制御信号を各電極の駆動部３００、４００、５００に出力する（Ｓ３３０）。
【００２２】
一方、検出された階調値が基準階調値以上の場合、制御部２００は一つのフレームのリセット期間で少なくとも一つ以上のメインリセットを駆動させる制御信号を各電極の駆動部３００、４００、５００に出力する（Ｓ３４０）。
【００２３】
この時、基準階調値は、全体放電セルが最小加重値を有するサブフィールドだけで点灯されるセルに選択される映像信号の階調値で設定される。特に、基準階調値は、全体放電セルがゼロ「０」階調を表現するフルブラック映像信号の階調値に設定されてもよい。基準階調値が「０」に設定される場合、フルブラック画面で放電による光が発生しないため、フルブラック画面のコントラストが良くなる。
【００２４】
次に、本発明の実施形態によるプラズマ表示装置の駆動方法について図３乃至図６を参照して詳細に説明する。本発明の実施形態による一つのフレームは、複数個のサブフィールドを含む。以下、一つのフレームが８個のサブフィールドを含むと仮定して説明する。そして、メインリセットは、上昇期間と下降期間で構成されたリセット期間と定義し、補助リセットは、下降期間で構成されたリセット期間と定義する。便宜上、一つのセルを形成するアドレス電極（以下、「Ａ電極」という）、維持電極（以下、「Ｘ電極」という）及び走査電極（以下、「Ｙ電極」という）に印加される駆動波形について説明する。
【００２５】
図３は検出された階調値が基準階調値未満の場合、プラズマ表示装置の駆動方法を示した図であり、図４は図３の駆動方法によるプラズマ表示装置の駆動波形を示した図である。
【００２６】
図３及び図４に示したように、本発明の実施形態１によるプラズマ表示装置は、検出された階調値が基準階調値未満の場合、一つのフレームの全リセット期間で補助リセットを駆動させる。
【００２７】
図４に示したように、第１乃至第８サブフィールド（ＳＦ１〜ＳＦ８）のリセット期間では、Ａ電極とＸ電極の電圧を各々基準電圧（図４では基準電圧を接地電圧（０Ｖ）と仮定する）とＶｅ電圧に維持した状態で、Ｙ電極の電圧をＶｓ電圧からＶｎｆ電圧に漸進的に減少させる。それにより、Ｙ電極の電圧が減少するうちに、Ｙ電極とＸ電極の間及びＹ電極とＡ電極間で弱放電が発生し、それによってＹ電極に形成された（-）壁電荷とＸ電極及びＡ電極に形成された（+）壁電荷が消去される。このように、補助リセット期間で構成された第１乃至第８サブフィールド（ＳＦ１〜ＳＦ８）では、直前のサブフィールドで維持放電がある場合にだけリセット放電が発生し、維持放電がない場合にはリセット放電が発生しない。従って、一つのフレームの全リセット期間で補助リセットが駆動される場合には、以前のサブフィールドで維持放電が発生した放電セルにだけ弱放電が発生し、フルブラック画面では光が発生しないため、コントラストが良い。
【００２８】
第１乃至第８サブフィールド（ＳＦ１〜ＳＦ８）のアドレス期間では、点灯される放電セルを選択するために、Ｘ電極にＶｅ電圧を印加した状態で、複数のＹ電極に順にＶｓｃＬ電圧を有する走査パルスを印加する。この時、ＶｓｃＬ電圧が印加されたＹ電極と、Ｘ電極によって形成される複数の放電セルの中で発光する放電セルを通過するＡ電極にＶａ電圧を印加する。以下、Ｖａ電圧が印加されたＡ電極とＶｓｃＬ電圧が印加されたＹ電極の間、及びＶｓｃＬ電圧が印加されたＹ電極とＶｅ電圧が印加されたＸ電極間でアドレス放電が起こる。そのために、Ｙ電極には（+）壁電荷が形成され、Ａ電極及びＸ電極には（-）壁電荷が形成される。ここで、ＶｓｃＬ電圧が印加されないＹ電極には、ＶｓｃＬ電圧より高いＶｓｃＨ電圧が印加され、選択されない放電セルのＡ電極には基準電圧が印加される。
【００２９】
一方、アドレス期間でこのような動作を行うため、走査電極駆動部４００は、Ｙ電極（Ｙ１〜Ｙｎ）中のＶｓｃＬ電圧を有する走査パルスが印加されるＹ電極を選択する。例えば、シングル駆動では垂直方向に配列された順にＹ電極を選択できる。そして、一つのＹ電極が選択される場合、アドレス電極駆動部３００は当該Ｙ電極によって形成された放電セルの中、点灯される放電セルを選択する。つまり、アドレス電極駆動部３００は、Ａ電極のうちのＶａ電圧のアドレスパルスが印加されるセルを選択する。
【００３０】
第１乃至第８サブフィールド（ＳＦ１〜ＳＦ８）の維持期間では、Ｙ電極とＸ電極にハイレバル電圧（図４ではＶｓ電圧）とローレベル電圧（図４では０Ｖ電圧）を有する維持放電パルスが反対位相に印加する。以下、Ｙ電極にＶｓ電圧が印加されてＸ電極に０Ｖ電圧が印加されて、Ｙ電極とＸ電極間で維持放電が発生し、この維持放電によってＹ電極とＸ電極に各々（-）壁電荷及び（+）壁電荷が形成される。以下、Ｙ電極とＸ電極に維持放電パルスを印加する過程は、当該サブフィールドが表示する加重値に対応する回数ほど反復される。一般に、維持放電パルスはＶｓ維持区間を有する矩形波である。
【００３１】
このように、本発明の実施形態では検出された階調値が基準階調値未満の場合、全サブフィールドのリセット期間で補助リセットを駆動することによって、前のサブフィールドで維持放電が発生した放電セルだけで弱放電が発生する。従って、フルブラック画面のように、階調が「０」の画面では光が発生しないためコントラストが良くなる。
【００３２】
前記では検出された階調値が基準階調値未満の場合について説明した。以下、検出された階調値が基準階調値以上の場合について図５及び図６を参照して説明する。
【００３３】
図５は、検出された階調値が基準階調値以上の場合のプラズマ表示装置の駆動方法を示した図であり、図６は図５の駆動方法によるプラズマ表示装置の駆動波形を示した図である。
【００３４】
図５及び図６に示したように、本発明の実施形態によるプラズマ表示装置は、検出された階調値が基準階調値以上の場合、一つのフレームで少なくとも一つ以上のサブフィールドのリセット期間でメインリセットを駆動させる。説明の便宜上、第１サブフィールドのリセット期間でメインリセットが駆動されると仮定して説明する。検出された階調値が基準階調値以上の場合は、検出された階調値が基準階調値未満の場合と比べて、第１サブフィールドのリセット期間でメインリセットが駆動されるのを除いて同様である。
【００３５】
従って、図６に示したように、第１サブフィールド（ＳＦ１）のリセット期間の上昇期間ではＸ電極及びＡ電極の電圧を基準電圧に維持して、Ｙ電極の電圧をＶｓ電圧からＶｓｅｔ電圧に漸進的に増加させる。このように、Ｙ電極の電圧が増加する間、Ｙ電極とＸ電極の間、及びＹ電極とＡ電極間で弱放電が発生され、Ｙ電極には（-）壁電荷が形成されてＸ電極及びＡ電極には（+）壁電荷が形成される。
【００３６】
第１サブフィールド（ＳＦ１）のリセット期間の下降期間では、Ａ電極とＸ電極の電圧を各々基準電圧とＶｅ電圧に維持した状態で、Ｙ電極の電圧をＶｓ電圧からＶｎｆ電圧に漸進的に減少させる。以下、Ｙ電極の電圧が減少する間に、Ｙ電極とＸ電極の間、及びＹ電極とＡ電極間で弱放電が発生し、そのためにＹ電極に形成された（-）壁電荷とＸ電極及びＡ電極に形成された（+）壁電荷が消去される。一般に（Ｖｎｆ-Ｖｅ）電圧の大きさは、Ｙ電極とＸ電極の間の放電開示電圧（Ｖｆｘｙ）に近く設定される。以下、Ｙ電極とＸ電極の間の壁電圧が殆ど０Ｖになって、アドレス期間でアドレス放電が発生しないセルが維持期間で誤放電するのを防止できる。第１サブフィールド（ＳＦ１）のリセット期間のように、メインリセットが駆動される場合には全放電セルに対して初期化が行われて、放電セル１２内にプライミング粒子が十分に形成される。
【００３７】
本発明の他の実施形態において、制御部２００は入力される映像信号の階調値が「０」のフルブラックの映像信号が入力されると、リセット期間、アドレス期間及び維持期間で全電極（Ｙ、Ｘ、Ａ）に基準電圧（０Ｖ）を印加する。それにより、フルブラック画面で如何なる放電も発生せずにコントラストが良くなる。
【００３８】
以上、本発明の実施形態について詳細に説明したが、本発明の権利範囲はこれに限定されるのではなく、特許請求の範囲で定義している本発明の基本概念を利用した当業者の多様な変形及び改良形態も、本発明の権利範囲に属する。
【図面の簡単な説明】
【００３９】
【図１】本発明の実施形態によるプラズマ表示装置の概略的な平面図である。
【図２】図１に示された制御部の動作を示した図である。
【図３】検出された階調値が基準階調値未満の場合のプラズマ表示装置の駆動方法を示した図である。
【図４】図３の駆動方法によるプラズマ表示装置の駆動波形を示した図である。
【図５】検出された階調値が基準階調値以上の場合のプラズマ表示装置の駆動方法を示した図である。
【図６】図５の駆動方法によるプラズマ表示装置の駆動波形を示した図である。
【符号の説明】
【００４０】
１００      プラズマ表示パネル
２００      制御部
３００      アドレス電極駆動部
４００      走査電極駆動部
５００      維持電極駆動部
【図１】
2009042722.tif 000003
【図２】
2009042722.tif 000004
【図３】
2009042722.tif 000005
【図４】
2009042722.tif 000006
【図５】
2009042722.tif 000007
【図６】
2009042722.tif 000008